(57)【要約】【課題】  利便性の向上と、人件費の低減と、料金の安全な受け取りとを実現することができるドキュメント印刷システムを提供する。【解決手段】  ドキュメント印刷システムにおいて、コンピューターは、利用者端末からアップロードされたドキュメントの識別情報としてのＰＩＮコードを利用者端末に通知し、ＭＦＰは、受け付けたＰＩＮコードに基づいてコンピューターにおけるドキュメントを特定し（Ｓ１３３でＹＥＳ）、特定したドキュメントの印刷料金に対してオンライン決済サービスによって発行された支払いコードを二次元コードで通知し（Ｓ１４４）、通知した支払いコードを使用してオンライン決済サービス経由で印刷料金が支払われた場合にドキュメントをプリンターで印刷することを特徴とする。【選択図】  図１１
2018200606.tif 000002
【特許請求の範囲】
【請求項１】
印刷デバイスを備える画像形成装置と、
ドキュメントを記憶するドキュメント記憶システムと
を備え、
前記ドキュメント記憶システムは、前記ドキュメントをアップロードするためのアップロード用端末からアップロードされた前記ドキュメントの識別情報としてのドキュメント識別情報を前記アップロード用端末に通知し、
前記画像形成装置は、
受け付けた前記ドキュメント識別情報に基づいて前記ドキュメント記憶システムにおける前記ドキュメントを特定するドキュメント特定手段と、
前記ドキュメント特定手段によって特定された前記ドキュメントの印刷料金に対してオンライン決済サービスによって発行された支払いコードを通知する支払いコード通知手段と、
前記支払いコード通知手段によって通知された前記支払いコードを使用して前記オンライン決済サービス経由で前記印刷料金が支払われた場合に前記ドキュメントを前記印刷デバイスで印刷するドキュメント印刷手段と
を備えることを特徴とするドキュメント印刷システム。
【請求項２】
前記ドキュメント記憶システムは、
第１のドキュメント記憶システムと、
第２のドキュメント記憶システムと
を備え、
前記ドキュメント特定手段は、受け付けた前記ドキュメント識別情報を前記第１のドキュメント記憶システムに通知することによって前記第１のドキュメント記憶システムに前記ドキュメントを要求し、
前記第１のドキュメント記憶システムは、
前記画像形成装置から通知された前記ドキュメント識別情報に対応する前記ドキュメントを記憶している場合に、このドキュメント識別情報に対応する前記ドキュメントを前記画像形成装置に送信し、
前記画像形成装置から通知された前記ドキュメント識別情報に対応する前記ドキュメントを記憶していない場合に、このドキュメント識別情報を前記第２のドキュメント記憶システムに通知することによって前記第２のドキュメント記憶システムから前記ドキュメントを取得し、前記第２のドキュメント記憶システムから取得した前記ドキュメントを前記画像形成装置に送信することを特徴とする請求項１に記載のドキュメント印刷システム。
【請求項３】
前記画像形成装置は、表示デバイスを備え、
前記支払いコード通知手段は、前記支払いコードを前記表示デバイスへの表示によって通知することを特徴とする請求項１または請求項２に記載のドキュメント印刷システム。
【請求項４】
前記支払いコード通知手段によって通知された前記支払いコードを使用して前記オンライン決済サービス経由で前記印刷料金を支払うための利用者端末を備え、
前記利用者端末は、撮影デバイスを備え、前記表示デバイスに表示された前記支払いコードを前記撮影デバイスによって撮影することによって取得することを特徴とする請求項３に記載のドキュメント印刷システム。
【請求項５】
前記印刷料金を計算する印刷料金計算手段を備え、
前記画像形成装置は、前記ドキュメントの印刷設定を受け付ける印刷設定受付手段を備え、
前記印刷料金計算手段は、前記印刷設定受付手段によって受け付けられた前記印刷設定に基づいて前記印刷料金を計算し、
前記ドキュメント印刷手段は、前記印刷設定受付手段によって受け付けられた前記印刷設定に基づいて前記ドキュメントを前記印刷デバイスで印刷することを特徴とする請求項１から請求項４までのいずれかに記載のドキュメント印刷システム。
【発明の詳細な説明】
【技術分野】
【０００１】
本発明は、ドキュメントの印刷を実行するドキュメント印刷システムに関する。
【背景技術】
【０００２】
従来、現金による料金の支払いを可能にするコインベンダーと、複写機とを備えていて、複写機によるコピーのジョブの実行の際にリアルタイムでコインベンダーによって料金の支払いを実行するシステムが知られている（例えば、特許文献１参照。）。
【先行技術文献】
【特許文献】
【０００３】
【特許文献１】特開２００１−３５１１６７号公報
【発明の概要】
【発明が解決しようとする課題】
【０００４】
しかしながら、特許文献１に記載されたシステムにおいては、利用者によってコインベンダーに投入された現金が減って料金の支払いが滞った時点でコピーのジョブの実行が停止され、その後、コインベンダーに現金が追加で投入されて料金の支払いが可能になった時点でコピーのジョブの実行が再開されるので、利便性が悪いという問題がある。
【０００５】
また、特許文献１に記載されたシステムにおいては、コインベンダーに現金で格納されている料金が複写機の管理者側の人間によって定期的に回収される必要があるので、人件費がかかるという問題がある。
【０００６】
また、特許文献１に記載されたシステムにおいては、料金が現金でコインベンダーに格納されているので、コインベンダーが格納している現金が盗難されて、複写機の管理者が料金を受け取れない可能性があるという問題がある。
【０００７】
そこで、本発明は、利便性の向上と、人件費の低減と、料金の安全な受け取りとを実現することができるドキュメント印刷システムを提供することを目的とする。
【課題を解決するための手段】
【０００８】
本発明のドキュメント印刷システムは、印刷デバイスを備える画像形成装置と、ドキュメントを記憶するドキュメント記憶システムとを備え、前記ドキュメント記憶システムは、前記ドキュメントをアップロードするためのアップロード用端末からアップロードされた前記ドキュメントの識別情報としてのドキュメント識別情報を前記アップロード用端末に通知し、前記画像形成装置は、受け付けた前記ドキュメント識別情報に基づいて前記ドキュメント記憶システムにおける前記ドキュメントを特定するドキュメント特定手段と、前記ドキュメント特定手段によって特定された前記ドキュメントの印刷料金に対してオンライン決済サービスによって発行された支払いコードを通知する支払いコード通知手段と、前記支払いコード通知手段によって通知された前記支払いコードを使用して前記オンライン決済サービス経由で前記印刷料金が支払われた場合に前記ドキュメントを前記印刷デバイスで印刷するドキュメント印刷手段とを備えることを特徴とする。
【０００９】
この構成により、本発明のドキュメント印刷システムは、ドキュメントの印刷料金が支払われた後で、このドキュメントを印刷するので、「ドキュメントを印刷する」というドキュメント印刷のジョブの実行が料金の支払いの滞りによって途中で停止されることがなく、利便性の向上を実現することができる。また、本発明のドキュメント印刷システムは、印刷料金の支払いにコインベンダーではなくオンライン決済サービスを利用するので、コインベンダーからの料金の取得作業が不要であり、人件費の低減と、料金の安全な受け取りとを実現することができる。
【００１０】
本発明のドキュメント印刷システムにおいて、前記ドキュメント記憶システムは、第１のドキュメント記憶システムと、第２のドキュメント記憶システムとを備え、前記ドキュメント特定手段は、受け付けた前記ドキュメント識別情報を前記第１のドキュメント記憶システムに通知することによって前記第１のドキュメント記憶システムに前記ドキュメントを要求し、前記第１のドキュメント記憶システムは、前記画像形成装置から通知された前記ドキュメント識別情報に対応する前記ドキュメントを記憶している場合に、このドキュメント識別情報に対応する前記ドキュメントを前記画像形成装置に送信し、前記画像形成装置から通知された前記ドキュメント識別情報に対応する前記ドキュメントを記憶していない場合に、このドキュメント識別情報を前記第２のドキュメント記憶システムに通知することによって前記第２のドキュメント記憶システムから前記ドキュメントを取得し、前記第２のドキュメント記憶システムから取得した前記ドキュメントを前記画像形成装置に送信しても良い。
【００１１】
この構成により、本発明のドキュメント印刷システムは、第１のドキュメント記憶システムおよび第２のドキュメント記憶システムのいずれにドキュメントが記憶されている場合であっても、第１のドキュメント記憶システムおよび第２のドキュメント記憶システムのうち第１のドキュメント記憶システムのみに画像形成装置によってドキュメントが要求されれば良いので、画像形成装置の処理負担を抑えることができる。
【００１２】
本発明のドキュメント印刷システムにおいて、前記画像形成装置は、表示デバイスを備え、前記支払いコード通知手段は、前記支払いコードを前記表示デバイスへの表示によって通知しても良い。
【００１３】
この構成により、本発明のドキュメント印刷システムは、画像形成装置が支払いコードを表示デバイスへの表示によって通知するので、画像形成装置によって通知された支払いコードを使用してオンライン決済サービス経由で料金を支払うための利用者端末と、画像形成装置とが互いに通信できない場合であっても、画像形成装置の表示デバイスに表示された支払いコードを使用して利用者端末によってオンライン決済サービス経由で料金を支払うことができる。
【００１４】
本発明のドキュメント印刷システムは、前記支払いコード通知手段によって通知された前記支払いコードを使用して前記オンライン決済サービス経由で前記印刷料金を支払うための利用者端末を備え、前記利用者端末は、撮影デバイスを備え、前記表示デバイスに表示された前記支払いコードを前記撮影デバイスによって撮影することによって取得しても良い。
【００１５】
この構成により、本発明のドキュメント印刷システムは、画像形成装置の表示デバイスに表示された支払いコードを利用者端末の利用者が利用者端末に手入力する必要がないので、利便性を向上することができる。
【００１６】
本発明のドキュメント印刷システムは、前記印刷料金を計算する印刷料金計算手段を備え、前記画像形成装置は、前記ドキュメントの印刷設定を受け付ける印刷設定受付手段を備え、前記印刷料金計算手段は、前記印刷設定受付手段によって受け付けられた前記印刷設定に基づいて前記印刷料金を計算し、前記ドキュメント印刷手段は、前記印刷設定受付手段によって受け付けられた前記印刷設定に基づいて前記ドキュメントを前記印刷デバイスで印刷しても良い。
【００１７】
この構成により、本発明のドキュメント印刷システムは、利用者が画像形成装置から指定した印刷設定でドキュメントを印刷することができる。
【発明の効果】
【００１８】
本発明のドキュメント印刷システムは、利便性の向上と、人件費の低減と、料金の安全な受け取りとを実現することができる。
【図面の簡単な説明】
【００１９】
【図１】本発明の一実施の形態に係るドキュメント印刷システムのブロック図である。
【図２】図１に示す利用者端末のブロック図である。
【図３】図１に示すＭＦＰのブロック図である。
【図４】図１に示すコンピューターのブロック図である。
【図５】図４に示すＭＦＰ管理情報の一例を示す図である。
【図６】図４に示す支払いコード管理情報の一例を示す図である。
【図７】図１に示すオンライン決済サービスが記憶する情報の一例を示す図である。
【図８】図７に示す支払いコード管理情報の一例を示す図である。
【図９】図１に示すドキュメント記憶サービスが記憶する情報の一例を示す図である。
【図１０】新たなドキュメントがアップロードされる場合の図４に示すコンピューターの動作のフローチャートである。
【図１１】二次元コードを表示する場合の図３に示すＭＦＰの動作のフローチャートである。
【図１２】ＭＦＰからドキュメントが要求された場合の図４に示すコンピューターの動作のフローチャートである。
【図１３】コンピューターからドキュメントが要求された場合の図１に示すドキュメント記憶サービスの動作のフローチャートである。
【図１４】ＭＦＰから二次元コードが要求された場合の図４に示すコンピューターの動作のフローチャートである。
【図１５】利用者端末が二次元コードを読み取ってからＭＦＰがドキュメント印刷のジョブの実行を終了するまでの図１に示すドキュメント印刷システムの動作のシーケンス図である。
【図１６】図１５に示す動作において利用者端末の表示部に表示される支払い画面の一例を示す図である。
【発明を実施するための形態】
【００２０】
以下、本発明の一実施の形態について、図面を用いて説明する。
【００２１】
まず、本実施の形態に係るドキュメント印刷システムの構成について説明する。
【００２２】
図１は、本実施の形態に係るドキュメント印刷システム１０のブロック図である。
【００２３】
図１に示すように、ドキュメント印刷システム１０は、利用者によって利用される利用者端末２０と、画像形成装置としてのＭＦＰ（Ｍｕｌｔｉｆｕｎｃｔｉｏｎ  Ｐｅｒｉｐｈｅｒａｌ）３０と、ドキュメントを記憶するドキュメント記憶システムとしてのコンピューター４０と、オンライン上で決済を実行するクラウドサービスであるオンライン決済サービス５０と、銀行口座を管理している銀行口座管理システム６０と、ドキュメントを記憶するドキュメント記憶システムとしてのドキュメント記憶サービス７０とを備えている。コンピューター４０、ドキュメント記憶サービス７０は、それぞれ、第１のドキュメント記憶システム、第２のドキュメント記憶システムを構成している。
【００２４】
なお、ドキュメントとしては、例えば、ＰＤＦ（Ｐｏｒｔａｂｌｅ  Ｄｏｃｕｍｅｎｔ  Ｆｏｒｍａｔ）ドキュメント、Ｍｉｃｒｏｓｏｆｔ（登録商標）  Ｗｏｒｄドキュメント、Ｍｉｃｒｏｓｏｆｔ  Ｅｘｃｅｌ（登録商標）ドキュメント、Ｍｉｃｒｏｓｏｆｔ  ＰｏｗｅｒＰｏｉｎｔ（登録商標）ドキュメント、ＴＩＦＦ（Ｔａｇｇｅｄ  Ｉｍａｇｅ  Ｆｉｌｅ  Ｆｏｒｍａｔ）ドキュメント、ＪＰＥＧ（Ｊｏｉｎｔ  Ｐｈｏｔｏｇｒａｐｈｉｃ  Ｅｘｐｅｒｔｓ  Ｇｒｏｕｐ）ドキュメントなど、様々な形式のドキュメントが採用されることができる。ドキュメントは、ドキュメント自身の印刷設定が含まれている場合がある。
【００２５】
ＭＦＰ３０は、例えば、コンビニエンスストアなどの商業施設、大学などの公共施設など、様々な施設に設置されることが可能である。ＭＦＰ３０は、コンピューター４０およびドキュメント記憶サービス７０の少なくとも一方に記憶されているドキュメントの印刷を、利用者による料金の支払いに応じて実行するデバイスである。
【００２６】
コンピューター４０は、ＭＦＰ３０の料金に関する処理だけでなく、ＭＦＰ３０と同様の少なくとも１台のＭＦＰの料金に関する処理を実行可能でも良い。
【００２７】
オンライン決済サービス５０、銀行口座管理システム６０およびドキュメント記憶サービス７０は、それぞれクラウドサービスであり、それぞれ例えばクラウドサーバーなどのサーバーによって実現されているシステムである。
【００２８】
利用者端末２０と、オンライン決済サービス５０とは、インターネットなどのネットワーク経由で通信可能である。
【００２９】
ＭＦＰ３０と、コンピューター４０とは、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、通信可能である。
【００３０】
コンピューター４０と、ドキュメント記憶サービス７０とは、インターネットなどのネットワーク経由で通信可能である。
【００３１】
オンライン決済サービス５０と、銀行口座管理システム６０とは、インターネットなどのネットワーク経由で通信可能である。
【００３２】
オンライン決済サービス５０と、ドキュメント記憶サービス７０とは、インターネットなどのネットワーク経由で通信可能である。
【００３３】
図２は、利用者端末２０のブロック図である。
【００３４】
図２に示すように、利用者端末２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、カメラなどの撮影デバイスである撮影部２３と、ネットワーク経由で、または、ネットワークを介さずに有線または無線によって直接に、外部の装置と通信を行う通信デバイスである通信部２４と、各種の情報を記憶する半導体メモリーなどの不揮発性の記憶デバイスである記憶部２５と、利用者端末２０全体を制御する制御部２６とを備えている。利用者端末２０は、例えば、スマートフォン、タブレットなどの携帯端末であっても良い。利用者端末２０は、コンピューター４０（図１参照。）およびドキュメント記憶サービス７０（図１参照。）の少なくとも一方にドキュメントをアップロードするためのアップロード用端末を構成している。
【００３５】
記憶部２５は、オンライン決済サービス５０（図１参照。）による決済のための決済用プログラム２５ａを記憶している。決済用プログラム２５ａは、利用者端末２０の製造段階で利用者端末２０にインストールされていても良いし、ＵＳＢ（Ｕｎｉｖｅｒｓａｌ  Ｓｅｒｉａｌ  Ｂｕｓ）メモリーなどの外部の記憶媒体から利用者端末２０に追加でインストールされても良いし、ネットワーク上から利用者端末２０に追加でインストールされても良い。
【００３６】
制御部２６は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２５に記憶されているプログラムを実行する。
【００３７】
制御部２６は、決済用プログラム２５ａを実行することによって、オンライン決済サービス５０に決済を指示する決済指示手段２６ａを実現する。
【００３８】
図３は、ＭＦＰ３０のブロック図である。
【００３９】
図３に示すように、ＭＦＰ３０は、種々の操作が入力されるボタンなどの入力デバイスである操作部３１と、種々の情報を表示するＬＣＤなどの表示デバイスである表示部３２と、原稿から画像を読み取る読取デバイスであるスキャナー３３と、用紙などの記録媒体に画像を印刷する印刷デバイスであるプリンター３４と、図示していない外部のファクシミリ装置と公衆電話回線などの通信回線経由でファックス通信を行うファックスデバイスであるファックス通信部３５と、ネットワーク経由で、または、ネットワークを介さずに有線または無線によって直接に、外部の装置と通信を行う通信デバイスである通信部３６と、各種の情報を記憶する半導体メモリー、ＨＤＤ（Ｈａｒｄ  Ｄｉｓｋ  Ｄｒｉｖｅ）などの不揮発性の記憶デバイスである記憶部３７と、ＭＦＰ３０全体を制御する制御部３８とを備えている。
【００４０】
記憶部３７は、ドキュメント印刷のジョブを実行するためのドキュメント印刷プログラム３７ａを記憶している。ドキュメント印刷プログラム３７ａは、ＭＦＰ３０の製造段階でＭＦＰ３０にインストールされていても良いし、ＵＳＢメモリーなどの外部の記憶媒体からＭＦＰ３０に追加でインストールされても良いし、ネットワーク上からＭＦＰ３０に追加でインストールされても良い。
【００４１】
制御部３８は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３７に記憶されているプログラムを実行する。
【００４２】
制御部３８は、ドキュメント印刷プログラム３７ａを実行することによって、ドキュメントの識別情報としてのドキュメント識別情報であるＰＩＮ（Ｐｅｒｓｏｎａｌ  Ｉｄｅｎｔｉｆｉｃａｔｉｏｎ  Ｎｕｍｂｅｒ）コードを受け付けるとともに、受け付けたＰＩＮコードに基づいてドキュメント記憶システムにおけるドキュメントを特定するドキュメント特定手段３８ａと、ドキュメント特定手段３８ａによって特定されたドキュメントの印刷設定を受け付ける印刷設定受付手段３８ｂと、ドキュメント特定手段３８ａによって特定されたドキュメントの印刷料金を計算する印刷料金計算手段３８ｃと、印刷料金計算手段３８ｃによって計算された印刷料金に対してオンライン決済サービス５０（図１参照。）によって発行された支払いコードを通知する支払いコード通知手段３８ｄと、支払いコード通知手段３８ｄによって通知された支払いコードを使用してオンライン決済サービス５０経由で印刷料金が支払われた場合にドキュメントをプリンター３４で印刷するドキュメント印刷手段３８ｅとを実現する。
【００４３】
図４は、コンピューター４０のブロック図である。
【００４４】
図４に示すように、コンピューター４０は、ネットワーク経由で、または、ネットワークを介さずに有線または無線によって直接に、外部の装置と通信を行う通信デバイスである通信部４１と、各種の情報を記憶する半導体メモリーなどの不揮発性の記憶デバイスである記憶部４２と、コンピューター４０全体を制御する制御部４３とを備えている。
【００４５】
記憶部４２は、ドキュメント印刷のジョブを実行するためのドキュメント印刷プログラム４２ａを記憶している。ドキュメント印刷プログラム４２ａは、コンピューター４０の製造段階でコンピューター４０にインストールされていても良いし、ＵＳＢメモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からコンピューター４０に追加でインストールされても良いし、ネットワーク上からコンピューター４０に追加でインストールされても良い。
【００４６】
記憶部４２は、ＭＦＰを管理するためのＭＦＰ管理情報４２ｂを記憶している。
【００４７】
図５は、ＭＦＰ管理情報４２ｂの一例を示す図である。
【００４８】
図５に示すように、ＭＦＰ管理情報４２ｂは、ＭＦＰの識別情報であるＭＦＰＩＤと、ＭＦＰの管理者の識別情報である管理者ＩＤとが対応付けられた情報である。
【００４９】
図４に示すように、記憶部４２は、オンライン決済サービス５０（図１参照。）によって発行される支払いコードを管理するための支払いコード管理情報４２ｃを記憶可能である。
【００５０】
図６は、支払いコード管理情報４２ｃの一例を示す図である。
【００５１】
図６に示すように、支払いコード管理情報４２ｃは、支払いコードと、ＭＦＰＩＤと、印刷データの識別情報である印刷データＩＤとが対応付けられた情報である。
【００５２】
図４に示すように、記憶部４２は、少なくとも１つのドキュメント４２ｄを、そのドキュメントのＰＩＮコードに対応付けて記憶可能である。
【００５３】
制御部４３は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４２に記憶されているプログラムを実行する。
【００５４】
制御部４３は、ドキュメント印刷プログラム４２ａを実行することによって、ＭＦＰにドキュメントを送信するドキュメント送信手段４３ａと、オンライン決済サービス５０による決済のための通信を実行する決済用通信手段４３ｂとを実現する。
【００５５】
図７は、オンライン決済サービス５０が記憶する情報の一例を示す図である。
【００５６】
図７に示すように、オンライン決済サービス５０は、利用者の銀行口座の情報を利用者の識別情報である利用者ＩＤ毎に示す利用者銀行口座情報５０ａと、ＭＦＰ３０の管理者の口座の情報を管理者ＩＤ毎に示す管理者口座情報５０ｂとを記憶している。
【００５７】
利用者銀行口座情報５０ａには、利用者の銀行口座を管理している銀行の名称や、その銀行口座の口座番号など、利用者の銀行口座に関する情報が含まれている。利用者は、例えば、利用者端末２０（図２参照。）の操作部２１（図２参照。）を介して決済用プログラム２５ａ（図２参照。）経由で、オンライン決済サービス５０の利用者銀行口座情報５０ａに利用者の銀行口座の情報を登録することが可能である。
【００５８】
管理者は、例えば、任意のＰＣ（Ｐｅｒｓｏｎａｌ  Ｃｏｍｐｕｔｅｒ）を介してインターネット経由で、オンライン決済サービス５０の管理者口座情報５０ｂに管理者の口座の情報を登録することが可能である。なお、管理者の口座は、オンライン決済サービス５０によって管理されている口座であって、銀行口座ではない。
【００５９】
オンライン決済サービス５０は、支払いコードを管理するための支払いコード管理情報５０ｃを記憶可能である。
【００６０】
図８は、支払いコード管理情報５０ｃの一例を示す図である。
【００６１】
図８に示すように、支払いコード管理情報５０ｃは、支払いコードと、管理者ＩＤと、料金と、コンピューターの識別情報であるコンピューターＩＤとが対応付けられた情報である。
【００６２】
図９は、ドキュメント記憶サービス７０が記憶する情報の一例を示す図である。
【００６３】
図９に示すように、ドキュメント記憶サービス７０は、少なくとも１つのドキュメント７０ａを、そのドキュメントのドキュメント識別情報であるＰＩＮコードに対応付けて記憶可能である。
【００６４】
次に、ドキュメント印刷システム１０の動作について説明する。
【００６５】
まず、新たなドキュメントがアップロードされる場合のコンピューター４０の動作について説明する。
【００６６】
図１０は、新たなドキュメントがアップロードされる場合のコンピューター４０の動作のフローチャートである。
【００６７】
利用者は、利用者端末２０から例えばＷｉ−Ｆｉ  Ｄｉｒｅｃｔ（登録商標）によってコンピューター４０にアクセスして、新たなドキュメント４２ｄの記憶をコンピューター４０に指示することができる。
【００６８】
コンピューター４０は、新たなドキュメント４２ｄの記憶が指示されると、図１０に示すように、このドキュメント４２ｄのＰＩＮコードを生成し（Ｓ１０１）、生成したＰＩＮコードに関連付けて、このドキュメント４２ｄを記憶する（Ｓ１０２）。
【００６９】
次いで、コンピューター４０は、Ｓ１０１において生成したＰＩＮコードを利用者端末２０に通知して（Ｓ１０３）、図１０に示す動作を終了する。
【００７０】
したがって、利用者端末２０は、コンピューター４０から通知されてきたＰＩＮコードを表示部２２に表示することができる。
【００７１】
次に、新たなドキュメントがアップロードされる場合のドキュメント記憶サービス７０の動作について説明する。
【００７２】
新たなドキュメントがアップロードされる場合のドキュメント記憶サービス７０の動作は、利用者端末２０と、ドキュメント記憶サービス７０との間の通信がインターネットを介して行われる点を除いて、新たなドキュメントがアップロードされる場合のコンピューター４０の動作と同様である。
【００７３】
したがって、利用者端末２０は、ドキュメント記憶サービス７０から通知されてきた、新たなドキュメント７０ａのＰＩＮコードを表示部２２に表示することができる。
【００７４】
次に、ＭＦＰ３０が二次元コードを表示するまでのドキュメント印刷システム１０の動作について説明する。
【００７５】
図１１は、二次元コードを表示する場合のＭＦＰ３０の動作のフローチャートである。
【００７６】
利用者は、コンピューター４０またはドキュメント記憶サービス７０から通知されて利用者端末２０の表示部２２に表示されたＰＩＮコードをＭＦＰ３０の操作部３１を介して入力することによって、ＭＦＰ３０にログインすることができる。
【００７７】
ＭＦＰ３０のドキュメント特定手段３８ａは、操作部３１を介してＰＩＮコードが入力されると、入力されたＰＩＮコードを受け付け（Ｓ１３１）、受け付けたＰＩＮコードをコンピューター４０に通知することによってコンピューター４０にドキュメントを要求する（Ｓ１３２）。
【００７８】
図１２は、ＭＦＰ３０からドキュメントが要求された場合のコンピューター４０の動作のフローチャートである。
【００７９】
コンピューター４０の制御部４３は、ＭＦＰ３０からＳ１３２の処理によってドキュメントが要求されると、図１２に示す動作を実行する。
【００８０】
図１２に示すように、コンピューター４０のドキュメント送信手段４３ａは、ＭＦＰ３０から通知されてきたＰＩＮコードに対応するドキュメント４２ｄ、すなわち、対象のドキュメント４２ｄを記憶しているか否かを判断する（Ｓ１６１）。
【００８１】
ドキュメント送信手段４３ａは、対象のドキュメント４２ｄを記憶しているとＳ１６１において判断すると、対象のドキュメント４２ｄをＭＦＰ３０に送信して（Ｓ１６２）、図１２に示す動作を終了する。
【００８２】
ドキュメント送信手段４３ａは、対象のドキュメント４２ｄを記憶していないとＳ１６１において判断すると、ＭＦＰ３０から通知されてきたＰＩＮコードをドキュメント記憶サービス７０に通知することによってドキュメント記憶サービス７０にドキュメントを要求する（Ｓ１６３）。
【００８３】
図１３は、コンピューター４０からドキュメントが要求された場合のドキュメント記憶サービス７０の動作のフローチャートである。
【００８４】
ドキュメント記憶サービス７０は、コンピューター４０からＳ１６３の処理によってドキュメントが要求されると、図１３に示す動作を実行する。
【００８５】
図１３に示すように、ドキュメント記憶サービス７０は、コンピューター４０から通知されてきたＰＩＮコードに対応するドキュメント７０ａ、すなわち、対象のドキュメント７０ａを記憶しているか否かを判断する（Ｓ２０１）。
【００８６】
ドキュメント記憶サービス７０は、対象のドキュメント７０ａを記憶しているとＳ２０１において判断すると、対象のドキュメント７０ａをコンピューター４０に送信して（Ｓ２０２）、図１３に示す動作を終了する。
【００８７】
ドキュメント記憶サービス７０は、対象のドキュメント７０ａを記憶していないとＳ２０１において判断すると、対象のドキュメント７０ａを記憶していない旨をコンピューター４０に通知して（Ｓ２０３）、図１３に示す動作を終了する。
【００８８】
図１２に示すように、コンピューター４０のドキュメント送信手段４３ａは、Ｓ１６３の処理の後、ドキュメント記憶サービス７０からドキュメントが送信されてきたか否かを判断する（Ｓ１６４）。なお、ドキュメント記憶サービス７０がドキュメント７０ａをコンピューター４０にＳ２０２において送信した場合に、ドキュメント送信手段４３ａは、ドキュメント記憶サービス７０からドキュメントが送信されてきたとＳ１６４において判断する。
【００８９】
ドキュメント送信手段４３ａは、ドキュメント記憶サービス７０からドキュメントが送信されてきたとＳ１６４において判断すると、このドキュメントをＭＦＰ３０に送信して（Ｓ１６５）、図１２に示す動作を終了する。
【００９０】
ドキュメント送信手段４３ａは、ドキュメント記憶サービス７０からドキュメントが送信されてきていないとＳ１６４において判断すると、対象のドキュメントを記憶していない旨がドキュメント記憶サービス７０から通知されてきたか否かを判断する（Ｓ１６６）。なお、対象のドキュメントを記憶していない旨をドキュメント記憶サービス７０がコンピューター４０にＳ２０３において通知した場合に、ドキュメント送信手段４３ａは、対象のドキュメントを記憶していない旨がドキュメント記憶サービス７０から通知されてきたとＳ１６６において判断する。
【００９１】
ドキュメント送信手段４３ａは、対象のドキュメントを記憶していない旨がドキュメント記憶サービス７０から通知されてきていないとＳ１６６において判断すると、Ｓ１６４の処理を実行する。
【００９２】
ドキュメント送信手段４３ａは、対象のドキュメントを記憶していない旨がドキュメント記憶サービス７０から通知されてきたとＳ１６６において判断すると、対象のドキュメントを記憶していない旨をＭＦＰ３０に通知して（Ｓ１６７）、図１２に示す動作を終了する。
【００９３】
図１１に示すように、ＭＦＰ３０のドキュメント特定手段３８ａは、Ｓ１３２の処理の後、コンピューター４０からドキュメントが送信されてきたか否かを判断する（Ｓ１３３）。なお、コンピューター４０がドキュメント４２ｄをＭＦＰ３０にＳ１６２において送信した場合と、コンピューター４０がドキュメントをＭＦＰ３０にＳ１６５において送信した場合とに、ドキュメント特定手段３８ａは、コンピューター４０からドキュメントが送信されてきたとＳ１３３において判断する。
【００９４】
ドキュメント特定手段３８ａは、コンピューター４０からドキュメントが送信されてきていないとＳ１３３において判断すると、対象のドキュメントを記憶していない旨がコンピューター４０から通知されてきたか否かを判断する（Ｓ１３４）。なお、対象のドキュメントを記憶していない旨をコンピューター４０がＭＦＰ３０にＳ１６７において通知した場合に、ドキュメント特定手段３８ａは、対象のドキュメントを記憶していない旨がコンピューター４０から通知されてきたとＳ１３４において判断する。
【００９５】
ドキュメント特定手段３８ａは、対象のドキュメントを記憶していない旨がコンピューター４０から通知されてきていないとＳ１３４において判断すると、Ｓ１３３の処理を実行する。
【００９６】
ドキュメント特定手段３８ａは、対象のドキュメントを記憶していない旨がコンピューター４０から通知されてきたとＳ１３４において判断すると、対象のドキュメントが見つからなかった旨を表示部３２に表示して（Ｓ１３５）、図１１に示す動作を終了する。
【００９７】
ドキュメント印刷手段３８ｅは、コンピューター４０からドキュメントが送信されてきたとＳ１３３において判断されると、このドキュメントに対して操作部３１を介して印刷設定が指定されたか否かを判断する（Ｓ１３６）。ここで、利用者は、ＭＦＰ４０がコンピューター４０から受信したドキュメントに対して適用を希望する印刷設定を操作部３１を介して指定することができる。指定可能な印刷設定としては、例えば、印刷する部数の設定、印刷する記録媒体のサイズの設定、モノクロ印刷およびカラー印刷の何れであるかの設定、両面印刷および片面印刷の何れであるかの設定などが存在する。
【００９８】
印刷設定受付手段３８ｂは、ドキュメントに対して操作部３１を介して印刷設定が指定されたとＳ１３６において判断されると、操作部３１を介して指定された印刷設定を受け付ける（Ｓ１３７）。
【００９９】
ドキュメント印刷手段３８ｅは、ドキュメントに対して操作部３１を介して印刷設定が指定されなかったとＳ１３６において判断するか、Ｓ１３７の処理が実行されると、コンピューター４０から送信されてきたとＳ１３３において判断したドキュメントの印刷が操作部３１を介して指示されたか否かを判断する（Ｓ１３８）。
【０１００】
ドキュメント印刷手段３８ｅは、ドキュメントの印刷が操作部３１を介して指示されていないとＳ１３８において判断すると、Ｓ１３６の処理を実行する。
【０１０１】
ドキュメント印刷手段３８ｅは、ドキュメントの印刷が操作部３１を介して指示されたとＳ１３８において判断すると、このドキュメントの印刷データを生成し（Ｓ１３９）、生成した印刷データを、この印刷データの識別情報である印刷データＩＤに対応付けて記憶部３７に記憶する（Ｓ１４０）。ここで、ドキュメント印刷手段３８ｅは、Ｓ１３７において印刷設定が受け付けられていた場合、この印刷設定で対象のドキュメントの印刷データを生成する。
【０１０２】
なお、印刷データには、印刷するページ数を示すページ数情報、印刷する記録媒体の枚数を示す枚数情報、印刷する記録媒体のサイズを示す記録媒体サイズ情報、モノクロ印刷およびカラー印刷の何れであるかを示す色情報、両面印刷および片面印刷の何れであるかを示す両面片面情報など、印刷料金を計算するために必要な種々の情報が含まれている。
【０１０３】
ドキュメント印刷手段３８ｅは、例えば、ドキュメントのページ数と、Ｓ１３７において受け付けられた、部数の設定、両面印刷および片面印刷の何れであるかの設定などの各種の印刷設定とに基づいて、ページ数情報や枚数情報を決定する。
【０１０４】
ドキュメント印刷手段３８ｅは、ドキュメント７０ａ自身に含まれている印刷設定と、Ｓ１３７において受け付けられた印刷設定とに矛盾する設定が含まれている場合、Ｓ１３７において受け付けられた印刷設定を優先する。例えば、ドキュメント印刷手段３８ｅは、ドキュメント自身に含まれている印刷設定にカラー印刷の設定が含まれていて、Ｓ１３７において受け付けられた印刷設定にモノクロ印刷の設定が含まれている場合、モノクロ印刷である旨の情報を色情報として印刷データに含める。
【０１０５】
印刷料金計算手段３８ｃは、Ｓ１４０の処理の後、Ｓ１３９において生成された印刷データと、特定の計算基準とに基づいて、今回のドキュメントの印刷料金を計算する（Ｓ１４１）。
【０１０６】
次いで、支払いコード通知手段３８ｄは、ＭＦＰ３０のＭＦＰＩＤと、Ｓ１４０において記憶部３７に記憶された印刷データの印刷データＩＤと、Ｓ１４１で計算された印刷料金とをコンピューター４０に通知することによって、コンピューター４０に二次元コードを要求する（Ｓ１４２）。
【０１０７】
図１４は、ＭＦＰ３０から二次元コードが要求された場合のコンピューター４０の動作のフローチャートである。
【０１０８】
コンピューター４０の制御部４３は、ＭＦＰ３０からＳ１４２の処理によって二次元コードが要求されると、図１４に示す動作を実行する。
【０１０９】
図１４に示すように、コンピューター４０の決済用通信手段４３ｂは、二次元コードの要求とともにＭＦＰ３０から通知された印刷料金での支払いコードを、ドキュメント記憶サービス７０を介してオンライン決済サービス５０に要求する（Ｓ２３１）。ここで、決済用通信手段４３ｂは、二次元コードの要求とともにＭＦＰ３０から送信されてきたＭＦＰＩＤにＭＦＰ管理情報４２ｂにおいて対応付けられている管理者ＩＤと、コンピューター４０のコンピューターＩＤとをＳ２３１の要求に含める。
【０１１０】
したがって、オンライン決済サービス５０は、Ｓ２３１の要求に応じて支払いコードを発行してコンピューター４０に返信する。なお、オンライン決済サービス５０は、発行した支払いコードを、Ｓ２３１における要求に含まれていた管理者ＩＤ、料金およびコンピューターＩＤに対応付けて支払いコード管理情報５０ｃに記憶する。
【０１１１】
コンピューター４０の決済用通信手段４３ｂは、Ｓ２３１の処理の後、オンライン決済サービス５０から支払いコードが返信されてきたと判断するまで、オンライン決済サービス５０から支払いコードが返信されてきたか否かを判断する（Ｓ２３２）。
【０１１２】
決済用通信手段４３ｂは、オンライン決済サービス５０から支払いコードが返信されてきたとＳ２３２において判断すると、オンライン決済サービス５０から返信されてきた支払いコードを、二次元コードの要求とともにＭＦＰ３０から通知されたＭＦＰＩＤおよび印刷データＩＤに対応付けて支払いコード管理情報４２ｃに記憶する（Ｓ２３３）。
【０１１３】
次いで、決済用通信手段４３ｂは、Ｓ２３３において記憶した支払いコードを示すＱＲコード（登録商標）などの二次元コードを生成し（Ｓ２３４）、Ｓ２３４において生成した二次元コードをＭＦＰ３０に送信して（Ｓ２３５）、図１４に示す動作を終了する。
【０１１４】
図１１に示すように、ＭＦＰ３０の支払いコード通知手段３８ｄは、Ｓ１４２の処理の後、コンピューター４０から二次元コードが送信されてきたと判断するまで、コンピューター４０から二次元コードが送信されてきたか否かを判断する（Ｓ１４３）。なお、コンピューター４０が二次元コードをＳ２３５においてＭＦＰ３０に送信した場合、支払いコード通知手段３８ｄは、コンピューター４０から二次元コードが送信されてきたとＳ１４３において判断する。
【０１１５】
支払いコード通知手段３８ｄは、コンピューター４０から二次元コードが送信されてきたとＳ１４３において判断すると、コンピューター４０から送信されてきた二次元コードを表示部３２に表示して（Ｓ１４４）、図１１に示す動作を終了する。
【０１１６】
次に、利用者端末２０が二次元コードを読み取ってからＭＦＰ３０がドキュメント印刷のジョブの実行を終了するまでのドキュメント印刷システム１０の動作について説明する。
【０１１７】
図１５は、利用者端末２０が二次元コードを読み取ってからＭＦＰ３０がドキュメント印刷のジョブの実行を終了するまでのドキュメント印刷システム１０の動作のシーケンス図である。
【０１１８】
利用者は、Ｓ１４４においてＭＦＰ３０の表示部３２に表示された二次元コードを利用者端末２０の撮影部２３によって読み取らせるように、利用者端末２０を操作することができる。利用者端末２０の決済指示手段２６ａは、表示部３２に表示された二次元コードを撮影部２３によって読み取らせるように利用者端末２０が操作されると、図１５に示すように、表示部３２に表示された二次元コードを撮影部２３によって読み取る（Ｓ２６１）。
【０１１９】
次いで、決済指示手段２６ａは、Ｓ２６１において読み取った二次元コードを解釈して、この二次元コードによって示される支払いコードと、利用者ＩＤとをオンライン決済サービス５０に送信する（Ｓ２６２）。
【０１２０】
したがって、オンライン決済サービス５０は、Ｓ２６２において利用者端末２０から送信されてきた支払いコードおよび利用者ＩＤに基づいて、支払いコード管理情報５０ｃにおいて支払いコードに対応付けられている料金と、利用者銀行口座情報５０ａにおいて利用者ＩＤに関連付けられている銀行口座の情報とを利用者端末２０に返信する（Ｓ２６３）。
【０１２１】
利用者端末２０の決済指示手段２６ａは、料金と、銀行口座の情報とがオンライン決済サービス５０から送信されてくると、料金の支払いのための支払い画面８０（図１６参照。）を表示部２２に表示する（Ｓ２６４）。
【０１２２】
図１６は、支払い画面８０の一例を示す図である。
【０１２３】
図１６に示すように、支払い画面８０は、オンライン決済サービス５０から送信されてきた銀行口座の情報を示すテキスト８１と、オンライン決済サービス５０から送信されてきた料金を示すテキスト８２と、銀行口座のパスワード、すなわち、その銀行口座からの引き落としを銀行口座管理システム６０が許可するためのパスワードが入力されるためのテキストボックス８３とを含んでいる。
【０１２４】
図１６においては、支払い画面８０に表示される銀行口座の情報として銀行の名称を示している。しかしながら、支払い画面８０には、銀行口座の情報として、銀行の名称以外の情報が、銀行の名称に加えて、または、銀行の名称に代えて、表示されても良い。なお、Ｓ２６３においては、銀行口座の情報のうち、支払い画面８０に表示される情報のみが返信されれば良い。
【０１２５】
図１５に示すように、決済指示手段２６ａは、テキストボックス８３に銀行口座のパスワードが入力されると、入力されたパスワードをオンライン決済サービス５０に送信する（Ｓ２６５）。
【０１２６】
したがって、オンライン決済サービス５０は、Ｓ２６５において利用者端末２０から送信されてきたパスワードが正しい場合にのみ、銀行口座管理システム６０が管理している銀行口座のうち、Ｓ２６２において利用者端末２０から送信されてきた利用者ＩＤに利用者銀行口座情報５０ａにおいて関連付けられている銀行口座から、Ｓ２６２において利用者端末２０から送信されてきた支払いコードに支払いコード管理情報５０ｃにおいて対応付けられている料金を引き落とす（Ｓ２６６）。
【０１２７】
次いで、オンライン決済サービス５０は、Ｓ２６６において引き落とした料金を、Ｓ２６２において利用者端末２０から送信されてきた支払いコードに支払いコード管理情報５０ｃにおいて対応付けられている管理者ＩＤに管理者口座情報５０ｂにおいて関連付けられている口座に振り込む（Ｓ２６７）。
【０１２８】
次いで、オンライン決済サービス５０は、料金の支払いが完了した旨を示す支払い完了通知と、Ｓ２６２において利用者端末２０から送信されてきた支払いコードとを、この支払いコードに支払いコード管理情報５０ｃにおいて対応付けられているコンピューターＩＤのコンピューター４０に送信する（Ｓ２６８）。
【０１２９】
コンピューター４０の決済用通信手段４３ｂは、Ｓ２６８においてオンライン決済サービス５０から支払い完了通知が送信されてくると、Ｓ２６８においてオンライン決済サービス５０から支払い完了通知とともに送信されてきた支払いコードに支払いコード管理情報４２ｃにおいて対応付けられている印刷データＩＤを、この支払いコードに支払いコード管理情報４２ｃにおいて対応付けられているＭＦＰＩＤのＭＦＰ３０に送信する（Ｓ２６９）。
【０１３０】
ＭＦＰ３０のドキュメント印刷手段３８ｅは、Ｓ２６９においてコンピューター４０から印刷データＩＤが送信されてくると、記憶部４２に記憶している印刷データのうち、Ｓ２６９においてコンピューター４０から送信されてきた印刷データＩＤに対応付けられている印刷データに基づいてプリンター３４で印刷を実行した（Ｓ２７０）後、この印刷データを記憶部４２から削除する（Ｓ２７１）。
【０１３１】
以上に説明したように、ドキュメント印刷システム１０は、ドキュメントの印刷料金が支払われた（Ｓ２６５〜Ｓ２６７）後で、このドキュメントを印刷する（Ｓ２７０）ので、「ドキュメントを印刷する」というドキュメント印刷のジョブの実行が料金の支払いの滞りによって途中で停止されることがなく、利便性の向上を実現することができる。
【０１３２】
ドキュメント印刷システム１０は、料金の支払いにコインベンダーではなくオンライン決済サービス５０を利用するため、料金がＭＦＰ３０の利用者の銀行口座からＭＦＰ３０の管理者の口座に直接振り込まれるので、コインベンダーからの料金の取得作業が不要であり、人件費の低減と、料金の安全な受け取りとを実現することができる。
【０１３３】
ドキュメント印刷システム１０は、料金の支払いにコインベンダーではなくオンライン決済サービス５０を利用するので、コインベンダーがあまり利用されていない国であっても、容易に導入されることが可能である。
【０１３４】
ドキュメント印刷システム１０は、ＭＦＰ３０が支払いコードを表示部３２への表示によって通知する（Ｓ１４４）ので、ＭＦＰ３０によって通知された支払いコードを使用してオンライン決済サービス５０経由で料金を支払うための利用者端末２０と、ＭＦＰ３０とが互いに通信できない場合であっても、ＭＦＰ３０の表示部３２に表示された支払いコードを使用して利用者端末２０によってオンライン決済サービス５０経由で料金を支払うことができる。
【０１３５】
ドキュメント印刷システム１０は、支払いコードが二次元コードとしてコンパクトにＭＦＰ３０の表示部３２に表示されるので、利用者端末２０の撮影部２３によって撮影し易く、利便性を向上することができる。なお、ドキュメント印刷システム１０は、文字列や一次元コードなど、二次元コードより利用者端末２０の撮影部２３によって撮影し難い方法で支払いコードが表示部３２に表示されても良い。
【０１３６】
ドキュメント印刷システム１０は、表示部３２に表示された支払いコードを撮影部２３によって撮影することによって取得するので、ＭＦＰ３０の表示部３２に表示された支払いコードを利用者端末２０の利用者が利用者端末２０に手入力する必要がない。したがって、ドキュメント印刷システム１０は、利便性を向上することができる。なお、ドキュメント印刷システム１０は、二次元コードではなく、文字列など、利用者端末２０の利用者が理解可能な方法で支払いコードを表示部３２に表示する場合、ＭＦＰ３０の表示部３２に表示された支払いコードが利用者端末２０の利用者によって利用者端末２０に手入力される構成でも良い。
【０１３７】
ドキュメント印刷システム１０は、ＭＦＰ３０によって受け付けられた印刷設定に基づいてＭＦＰ３０が印刷データを生成するので、コンピューター４０またはドキュメント記憶サービス７０に記憶されたドキュメントを、利用者がＭＦＰ３０から指定した印刷設定で印刷することができる。
【０１３８】
ドキュメント印刷システム１０は、ＭＦＰ３０によって印刷されることを利用者が希望するドキュメントを記憶している利用者端末２０と、ＭＦＰ３０とが互いに通信できない場合であっても、利用者端末２０からコンピューター４０およびドキュメント記憶サービス７０のいずれかにドキュメントをアップロードすることによって、このドキュメントをＭＦＰ３０で印刷することができるので、利便性を向上することができる。
【０１３９】
ドキュメント印刷システム１０は、コンピューター４０およびドキュメント記憶サービス７０のいずれにドキュメントが記憶されている場合であっても、コンピューター４０およびドキュメント記憶サービス７０のうちコンピューター４０のみにＭＦＰ３０によってドキュメントが要求されれば良いので、ＭＦＰ３０の処理負担を抑えることができる。なお、ドキュメント印刷システム１０は、コンピューター４０およびドキュメント記憶サービス７０のそれぞれにＭＦＰ３０によってドキュメントが要求される構成でも良い。
【０１４０】
ドキュメント印刷システム１０は、本実施の形態において、ＭＦＰ３０の管理者の口座として、オンライン決済サービス５０によって管理されている口座を利用している。しかしながら、ドキュメント印刷システム１０は、ＭＦＰ３０の管理者の口座として、オンライン決済サービス５０によって管理されている口座ではなく、銀行口座を利用する構成でも良い。
【０１４１】
ドキュメント印刷システム１０は、本実施の形態において、ＭＦＰ３０の利用者の口座として、銀行口座を利用している。しかしながら、ドキュメント印刷システム１０は、ＭＦＰ３０の利用者の口座として、銀行口座ではなく、オンライン決済サービス５０によって管理されている口座を利用する構成でも良い。
【０１４２】
ドキュメント印刷システム１０は、ＭＦＰ３０の上述した機能の少なくとも一部をコンピューター４０がドキュメント印刷プログラム４２ａの実行によって実現する構成でも良い。例えば、ドキュメント印刷システム１０は、ドキュメントの印刷データの生成と、ドキュメントの印刷料金の計算との少なくとも一方をコンピューター４０が実行する構成でも良い。
【０１４３】
コンピューター４０は、本実施の形態においてドキュメント記憶サービス７０を介してオンライン決済サービス５０に支払いコードを要求するが、ドキュメント記憶サービス７０を介さずに直接オンライン決済サービス５０に支払いコードを要求しても良い。
【０１４４】
本発明のアップロード用端末は、本実施の形態においてオンライン決済用の利用者端末２０が兼ねているが、利用者端末２０以外の端末でも良い。
【０１４５】
本発明の画像形成装置は、本実施の形態においてＭＦＰであるが、プリンター専用機など、ＭＦＰ以外の画像形成装置でも良い。
【符号の説明】
【０１４６】
１０  ドキュメント印刷システム
２０  利用者端末（アップロード用端末）
２３  撮影部（撮影デバイス）
３０  ＭＦＰ（画像形成装置）
３２  表示部（表示デバイス）
３４  プリンター（印刷デバイス）
３８ａ  ドキュメント特定手段
３８ｂ  印刷設定受付手段
３８ｃ  印刷料金計算手段
３８ｄ  支払いコード通知手段
３８ｅ  ドキュメント印刷手段
４０  コンピューター（ドキュメント記憶システム、第１のドキュメント記憶システム）
４２ｄ  ドキュメント
５０  オンライン決済サービス
７０  ドキュメント記憶サービス（ドキュメント記憶システム、第２のドキュメント記憶システム）
７０ａ  ドキュメント
【図１】
2018200606.tif 000003
【図２】
2018200606.tif 000004
【図３】
2018200606.tif 000005
【図４】
2018200606.tif 000006
【図５】
2018200606.tif 000007
【図６】
2018200606.tif 000008
【図７】
2018200606.tif 000009
【図８】
2018200606.tif 000010
【図９】
2018200606.tif 000011
【図１０】
2018200606.tif 000012
【図１１】
2018200606.tif 000013
【図１２】
2018200606.tif 000014
【図１３】
2018200606.tif 000015
【図１４】
2018200606.tif 000016
【図１５】
2018200606.tif 000017
【図１６】
2018200606.tif 000018